【手続補正書】
【提出日】平成17年11月21日(2005.11.21)
【手続補正１】
【補正対象書類名】明細書
【補正対象項目名】発明の名称
【補正方法】変更
【補正の内容】
【発明の名称】情報提供サービスシステム、情報提供装置、及び情報提供方法
【手続補正２】
【補正対象書類名】明細書
【補正対象項目名】特許請求の範囲
【補正方法】変更
【補正の内容】
【特許請求の範囲】
【請求項１】
移動可能な端末と、サーバとがネットワークを介して接続される情報提供サービスシステムであって、
前記端末は、
商品またはサービスの内容を指定する商品サービス情報と、該端末の現在位置および移動方向を示す移動状態情報とを前記サーバに送信する送信手段を備え、
前記サーバは、
前記商品またはサービスを提供可能な店舗の場所を記憶する記憶手段と、
前記端末から送信された前記商品サービス情報及び前記移動状態情報を受信する受信手段と、
前記受信手段により受信された前記商品サービス情報で指定される商品またはサービスを提供可能な店舗であり、且つ、前記移動状態情報で示される前記端末の現在位置および移動方向より特定される移動先に位置する店舗を前記記憶手段より検索する店舗検索手段と、
前記端末に前記店舗検索手段の結果に基づいて商品の提供場所情報を含む回答情報を送信する回答情報送信手段と、
を備えることを特徴とする情報提供サービスシステム。
【請求項２】
前記端末はＧＰＳ機能を備え、
前記送信手段により送信される移動状態情報は、ＧＰＳ機能により取得されることを特徴とする請求項１記載の情報提供サービスシステム。
【請求項３】
前記商品サービス情報により指定されるサービスは、撮影した画像データのプリントサービスを含み、
前記送信手段は、前記商品サービス情報により前記プリントサービスを指定する場合は、更に撮影した画像データを前記サーバに送信することを特徴とする請求項１記載の情報提供サービスシステム。
【請求項４】
前記回答情報は、希望された商品の提供場所までのナビゲーション情報であることを特徴とする請求項１記載の情報提供サービスシステム。
【請求項５】
前記移動状態情報は、更に前記端末の移動速度を含み、
前記店舗検索手段は、前記端末の現在位置、移動方向および移動速度に基づいて各移動先までの所要時間を特定し、より所要時間が短い店舗を検索することを特徴とする請求項１記載の情報提供サービスシステム。
【請求項６】
移動可能な端末とネットワークを介して接続される情報提供装置であって、
商品またはサービスを提供可能な店舗の場所を記憶する記憶手段と、
前記商品またはサービスの内容を指定する商品サービス情報と、前記端末の現在位置および移動方向を示す移動状態情報とを該端末より受信する受信手段と、
前記受信手段により受信された前記商品サービス情報で指定される商品またはサービスを提供可能な店舗であり、且つ、前記移動状態情報で示される前記端末の現在位置および移動方向より特定される移動先に位置する店舗を前記記憶手段より検索する店舗検索手段と、
前記端末に前記店舗検索手段の結果に基づいて商品の提供場所情報を含む回答情報を送信する回答情報送信手段と、
を備えることを特徴とする情報提供装置。
【請求項７】
商品またはサービスを提供可能な店舗の場所を記憶する記憶手段を備え、ネットワークを介して接続される移動可能な端末に対して前記商品またはサービスを提供可能な店舗に関する情報提供を行う情報提供方法であって、
前記商品またはサービスの内容を指定する商品サービス情報と、前記端末の現在位置および移動方向を示す移動状態情報とを該端末より受信する受信工程と、
前記受信工程により受信された前記商品サービス情報で指定される商品またはサービスを提供可能な店舗であり、且つ、前記移動状態情報で示される前記端末の現在位置および移動方向より特定される移動先に位置する店舗を前記記憶手段より検索する店舗検索工程と、
前記端末に前記店舗検索工程の結果に基づいて商品の提供場所情報を含む回答情報を送信する回答情報送信工程と、
を含むことを特徴とする情報提供方法。
【手続補正３】
【補正対象書類名】明細書
【補正対象項目名】０００１
【補正方法】変更
【補正の内容】
【０００１】
【発明の属する技術分野】
本発明は、ネットワーク接続機能を有する通信端末を所有するユーザーに対してそのユーザーの外出先で有用な地域情報を提供する情報提供サービスシステム、情報提供装置、及び情報提供方法に関するものである。
【手続補正４】
【補正対象書類名】明細書
【補正対象項目名】０００９
【補正方法】変更
【補正の内容】
【０００９】
本発明の課題は、通信端末ユーザーが、全く土地勘の無い地域においても、ユーザーの欲求を満たす地域情報を即座に提供することができる情報提供サービスシステム、情報提供装置、及び情報提供方法を提供することにある。
【手続補正５】
【補正対象書類名】明細書
【補正対象項目名】００１１
【補正方法】変更
【補正の内容】
【００１１】
請求項１記載の発明は、移動可能な端末（例えば、図１に示す携帯端末４）と、サーバ（例えば、図１に示す受注センターサーバ１）とがネットワーク（例えば、図１に通信ネットワーク２）を介して接続される情報提供サービスシステム（例えば、図１に示す情報提供サービスシステム１００）であって、前記端末は、商品またはサービスの内容を指定する商品サービス情報と、該端末の現在位置および移動方向を示す移動状態情報とを前記サーバに送信する送信手段を備え、前記サーバは、前記商品またはサービスを提供可能な店舗の場所を記憶する記憶手段と、前記端末から送信された前記商品サービス情報及び前記移動状態情報を受信する受信手段（例えば、図２に示す通信装置１４）と、前記受信手段により受信された前記商品サービス情報で指定される商品またはサービスを提供可能な店舗であり、且つ、前記移動状態情報で示される前記端末の現在位置および移動方向より特定される移動先に位置する店舗を前記記憶手段より検索する店舗検索手段（例えば、図２に示すＣＰＵ１１）と、前記端末に前記店舗検索手段の結果に基づいて商品の提供場所情報を含む回答情報を送信する回答情報送信手段（例えば、図２に示す通信装置１４及び図４に示すステップＳ５）と、を備えることを特徴としている。
【手続補正６】
【補正対象書類名】明細書
【補正対象項目名】００１２
【補正方法】変更
【補正の内容】
【００１２】
この請求項１記載の発明の情報提供サービスシステムによれば、移動可能な端末は、送信手段を備え、サーバは、記憶手段と、受信手段と、店舗検索手段と、回答情報送信手段とを備えることにより、サーバが端末から送信された商品サービス情報及び移動状態情報を受信して、受信した商品サービス情報と移動状態情報に基づき記憶手段より店舗を検索し、検索結果に基づいて商品の提供場所を含む回答情報を送信することができるので、端末のユーザは、移動中であっても必要な商品サービスの提供を受けることができる。
【手続補正７】
【補正対象書類名】明細書
【補正対象項目名】００１３
【補正方法】変更
【補正の内容】
【００１３】
また、請求項２の発明の情報提供サービスシステムにおいて、前記端末はＧＰＳ機能を備え、前記送信手段により送信される移動状態情報は、ＧＰＳ機能により取得されることを特徴としている。
【手続補正８】
【補正対象書類名】明細書
【補正対象項目名】００１４
【補正方法】変更
【補正の内容】
【００１４】
請求項２記載の発明によれば、端末はＧＰＳ機能により移動状態情報を取得し、送信することができるので、全く土地勘の無い地域においても、移動状態をサーバに送信することができる。
【手続補正９】
【補正対象書類名】明細書
【補正対象項目名】００１５
【補正方法】変更
【補正の内容】
【００１５】
さらに、請求項３の発明の情報提供サービスシステムにおいて、前記商品サービス情報により指定されるサービスは、撮影した画像データのプリントサービスを含み、前記送信手段は、前記商品サービス情報により前記プリントサービスを指定する場合は、更に撮影した画像データを前記サーバに送信することを特徴としている。
【手続補正１０】
【補正対象書類名】明細書
【補正対象項目名】００１６
【補正方法】変更
【補正の内容】
【００１６】
請求項３記載の発明によれば、撮影した画像データのプリントサービス等のような各種サービスの提供を容易に受けることができる。
【手続補正１１】
【補正対象書類名】明細書
【補正対象項目名】００１８
【補正方法】変更
【補正の内容】
【００１８】
請求項４記載の発明によれば、前記サーバが送信する回答情報は希望された商品の提供場所までのナビゲーション情報であるため、前記端末のユーザは商品の提供場所にスムーズに辿りつくことができ、希望した商品を容易に受けることができる。
【手続補正１２】
【補正対象書類名】明細書
【補正対象項目名】００１９
【補正方法】変更
【補正の内容】
【００１９】
請求項５記載の発明の情報提供サービスシステムにおいて、前記移動状態情報は、更に前記端末の移動速度を含み、前記店舗検索手段は、前記端末の現在位置、移動方向および移動速度に基づいて各移動先までの所要時間を特定し、より所要時間が短い店舗を検索することを特徴としている。
【手続補正１３】
【補正対象書類名】明細書
【補正対象項目名】００２０
【補正方法】変更
【補正の内容】
【００２０】
請求項５記載の発明によれば、前記端末から送信される前記移動状態情報は現在位置及び移動方向、に加えて移動速度を含むので、前記サーバは、受信した移動状態情報に基づいて商品を提供できる店舗や商品の提供場所までの所要時間を特定し、より所要時間が短い店舗や商品の提供場所を容易に検索できる。
【手続補正１４】
【補正対象書類名】明細書
【補正対象項目名】００２１
【補正方法】変更
【補正の内容】
【００２１】
請求項６の発明は、移動可能な端末とネットワークを介して接続される情報提供装置であって、商品またはサービスを提供可能な店舗の場所を記憶する記憶手段と、前記商品またはサービスの内容を指定する商品サービス情報と、前記端末の現在位置および移動方向を示す移動状態情報とを該端末より受信する受信手段と、前記受信手段により受信された前記商品サービス情報で指定される商品またはサービスを提供可能な店舗であり、且つ、前記移動状態情報で示される前記端末の現在位置および移動方向より特定される移動先に位置する店舗を前記記憶手段より検索する店舗検索手段と、前記端末に前記店舗検索手段の結果に基づいて商品の提供場所情報を含む回答情報を送信する回答情報送信手段と、を備えることを特徴としている。
【手続補正１５】
【補正対象書類名】明細書
【補正対象項目名】００２２
【補正方法】変更
【補正の内容】
【００２２】
請求項７の発明は、商品またはサービスを提供可能な店舗の場所を記憶する記憶手段を備え、ネットワークを介して接続される移動可能な端末に対して前記商品またはサービスを提供可能な店舗に関する情報提供を行う情報提供方法であって、前記商品またはサービスの内容を指定する商品サービス情報と、前記端末の現在位置および移動方向を示す移動状態情報とを該端末より受信する受信工程と、前記受信工程により受信された前記商品サービス情報で指定される商品またはサービスを提供可能な店舗であり、且つ、前記移動状態情報で示される前記端末の現在位置および移動方向より特定される移動先に位置する店舗を前記記憶手段より検索する店舗検索工程と、前記端末に前記店舗検索工程の結果に基づいて商品の提供場所情報を含む回答情報を送信する回答情報送信工程と、を含むことを特徴としている。
【手続補正１６】
【補正対象書類名】明細書
【補正対象項目名】００６８
【補正方法】変更
【補正の内容】
【００６８】
【発明の効果】
請求項１記載の発明によれば、移動可能な端末は、送信手段を備え、サーバは、記憶手段と、受信手段と、店舗検索手段と、回答情報送信手段とを備えることにより、サーバが端末から送信された商品サービス情報及び移動状態情報を受信して、受信した商品サービス情報と移動状態情報に基づき記憶手段より店舗を検索し、検索結果に基づいて商品の提供場所を含む回答情報を送信することができるので、端末のユーザは、移動中であっても必要な商品サービスの提供を受けることができる。
【手続補正１７】
【補正対象書類名】明細書
【補正対象項目名】００６９
【補正方法】変更
【補正の内容】
【００６９】
請求項２記載の発明によれば、端末はＧＰＳ機能により移動状態情報を取得し、送信することができるので、全く土地勘の無い地域においても、移動状態をサーバに送信することができる。
【手続補正１８】
【補正対象書類名】明細書
【補正対象項目名】００７０
【補正方法】変更
【補正の内容】
【００７０】
請求項３記載の発明によれば、撮影した画像データのプリントサービス等のような各種サービスの提供を容易に受けることができる。
【手続補正１９】
【補正対象書類名】明細書
【補正対象項目名】００７１
【補正方法】変更
【補正の内容】
【００７１】
請求項４記載の発明によれば、前記サーバが送信する回答情報は希望された商品の提供場所までのナビゲーション情報であるため、前記端末のユーザは商品の提供場所にスムーズに辿りつくことができ、希望した商品を容易に受けることができる。
【手続補正２０】
【補正対象書類名】明細書
【補正対象項目名】００７２
【補正方法】変更
【補正の内容】
【００７２】
請求項５記載の発明によれば、前記端末から送信される前記移動状態情報は現在位置及び移動方向、に加えて移動速度を含むので、前記サーバは、受信した移動状態情報に基づいて商品を提供できる店舗や商品の提供場所までの所要時間を特定し、より所要時間が短い店舗や商品の提供場所を容易に検索できる。
【手続補正２１】
【補正対象書類名】明細書
【補正対象項目名】００７３
【補正方法】変更
【補正の内容】
【００７３】
請求項７記載の発明によれば、移動可能な端末は、送信工程を含み、サーバは、受信工程と、店舗検索工程と、回答情報送信工程とを含むことにより、サーバが携帯端末から送信された商品サービス情報及び移動状態情報を受信して、受信した商品サービス情報と移動状態情報に基づき前記記憶手段より店舗を検索し、検索結果に基づいて商品の提供場所を含む回答情報を送信することができるので、端末のユーザは、移動中であっても必要な商品サービスを提供できる情報提供方法を容易に実現できる。